(57)【要約】【課題】全国どの地域においても同一系列、或いは同一の放送事業者が放送する番組は同じリモコン番号で選択することができる携帯電話機を提供する。【解決手段】本発明に係る携帯電話機は、所定の地域における第１の放送事業者とその放送事業者の第１のリモコン番号とを関連付ける第１のチャネルリストを登録するチャネルリスト登録部と、テレビ受信装置を視聴しようとする地域における第２の放送事業者とその放送事業者の第２のリモコン番号とを関連付ける第２のチャネルリストを生成するチャネルリスト生成部と、登録された第１の放送事業者と第２の放送事業者とを照合し、第２の放送事業者と第１の放送事業者とが同一系列、又は同一の放送事業者である場合に、第１のリモコン番号を第２のリモコン番号に変換する照合変換部と、変換された第２のリモコン番号をテレビ受信装置に送信する送信部と、を備えたことを特徴とする。【選択図】  図２
2008278413.tif 000002
【特許請求の範囲】
【請求項１】
テレビ受信装置を遠隔操作することができる携帯電話機において、
前記テレビ受信装置の番組を選択する数字キーと、
所定の地域における第１の放送事業者と、前記第１の放送事業者に対して割り付けられた第１のリモコン番号とを関連付ける第１のチャネルリストを登録するチャネルリスト登録部と、
前記テレビ受信装置を視聴しようとする地域における第２の放送事業者と、前記第２の放送事業者に対して割り付けられた第２のリモコン番号とを関連付ける第２のチャネルリストを生成するチャネルリスト生成部と、
登録された前記第１のチャネルリストの第１の放送事業者と生成された前記第２のチャネルリストの第２の放送事業者とを照合し、前記第２の放送事業者と前記第１の放送事業者とが同一の放送事業者である場合、或いは前記第２の放送事業者と前記第１の放送事業者とが同じ内容の番組を放送しうる関係にある場合に、前記第１のリモコン番号を前記第２のリモコン番号に変換する照合変換部と、
前記第１のリモコン番号に対応する前記数字キーが押下されたときに、前記第１のリモコン番号から変換された前記第２のリモコン番号に基づく番組選択信号を、前記テレビ受信装置に送信する送信部と、
を備えたことを特徴とする携帯電話機。
【請求項２】
前記チャネルリスト生成部は、
前記テレビ受信装置を視聴しようとする地域を検出する地域検出部と、
全国の放送事業者とその放送事業者に割り当てられたリモコン番号とを関連付ける全国チャネルリストを入力する全国チャネルリスト入力部と、
入力した前記全国チャネルリストから、前記地域検出部で検出した地域に対応するチャネルリストを前記第２のチャネルリストとして抽出するチャネルリスト抽出部と、
を備えたことを特徴とする請求項１に記載の携帯電話機。
【請求項３】
テレビ受信装置を遠隔操作することができる携帯電話機において、
前記テレビ受信装置の番組を選択する数字キーと、
所定の地域における第１の放送事業者情報と、前記第１の放送事業者情報に対して割り付けられた第１のリモコン番号とを関連付けられた第１のチャネルリストを登録するチャネルリスト登録手段と、
前記テレビ受信装置を視聴しようとする地域における第２の放送事業者情報と、前記第２の放送事業者情報に対して割り付けられた第２のリモコン番号とを関連付ける第２のチャネルリストを外部より取得するチャネルリスト取得手段と、
前記第１のリモコン番号に対応する前記数字キーが押下されたときに、その第１のリモコン番号に関連付けられた第１の放送事業者情報と前記第２の放送事業者情報とが同じ内容の番組を放送しうる関係にある場合には、前記第２のチャネルリストに基づいて前記第１のリモコン番号から変換された第２の放送事業者情報に対応する前記第２のリモコン番号に基づく番組選択信号を、前記テレビ受信装置に送信する送信部と、
を備えたことを特徴とする携帯電話機。
【請求項４】
テレビ受信装置を遠隔操作することができる携帯電話機において、
前記テレビ受信装置の番組を選択する数字キーと、
所定の地域における第１の放送事業者情報と、前記第１の放送事業者情報に対して割り付けられた第１のリモコン番号とを関連付けられた第１のチャネルリストを登録するチャネルリスト登録手段と、
前記テレビ受信装置を視聴しようとする地域を検出する地域検出手段と、
全国の放送事業者とその放送事業者に割り当てられたリモコン番号とを関連付ける全国チャネルリストを具備するデータベースと、
前記地域検出手段にて検出された地域における第２の放送事業者情報と、前記第２の放送事業者情報に対して割り付けられた第２のリモコン番号とを関連付ける第２のチャネルリストを、前記全国チャネルリストから抽出するチャネルリスト抽出手段と、
前記第１のリモコン番号に対応する前記数字キーが押下されたときに、その第１のリモコン番号に関連付けられた第１の放送事業者情報と前記第２の放送事業者情報とが同じ内容の番組を放送しうる関係にある場合には、前記第２のチャネルリストに基づいて前記第１のリモコン番号から変換された第２の放送事業者情報に対応する前記第２のリモコン番号に基づく番組選択信号を、前記テレビ受信装置に送信する送信部と、
を備えたことを特徴とする携帯電話機。
【請求項５】
テレビ受信装置を遠隔操作することができる携帯電話機において、
前記テレビ受信装置の番組を選択する数字キーと、
所定の地域における第１の放送事業者情報と、前記第１の放送事業者情報に対して割り付けられた第１のリモコン番号とを関連付けられた第１のチャネルリストを登録するチャネルリスト登録手段と、
地上波デジタルテレビ放送を受信する受信手段と、
前記テレビ受信装置を視聴しようとする地域における第２の放送事業者情報と、前記第２の放送事業者情報に対して割り付けられた第２のリモコン番号とを関連付ける第２のチャネルリストを、前記受信手段のチャネルスキャン動作によって取得するチャネルリスト取得手段と、
前記第１のリモコン番号に対応する前記数字キーが押下されたときに、その第１のリモコン番号に関連付けられた第１の放送事業者情報と前記第２の放送事業者情報とが同じ内容の番組を放送しうる関係にある場合には、前記第２のチャネルリストに基づいて前記第１のリモコン番号から変換された第２の放送事業者情報に対応する前記第２のリモコン番号に基づく番組選択信号を、前記テレビ受信装置に送信する送信部と、
を備えたことを特徴とする携帯電話機。
【発明の詳細な説明】
【技術分野】
【０００１】
本発明は、携帯電話機に係り、特に、ＴＶ受信装置等に対するリモートコントロール機能を有する携帯電話機に関する。
【背景技術】
【０００２】
近時、携帯電話機は国内外を問わず広く普及している。その一方で、インターネット機能、写真機能、ＧＰＳ機能、クレジットカード機能等の多種多様な機能が携帯電話機に付加されてきており、携帯電話機の多機能化は益々拍車がかかってきている。
【０００３】
携帯電話機に付加される機能の１つとして、ＴＶ受信装置等に対するリモートコントロール機能があり、例えば、特許文献１等にその技術の一例が開示されている。携帯電話機の中には近接通信機能を実現する手段として赤外線送信機能を有するものがあり、この赤外線送信機能を利用して携帯電話機をリモートコントローラ装置として動作させ、ＴＶ受信装置等の電源の入り切りや受信チャネルの選択等を行おうというものである。受信チャネルの選択を行う場合には、携帯電話機の数字キーが利用される。
【０００４】
他方、リモートコントロール機能付き携帯電話機（以下、リモコン付き携帯電話機という）によって遠隔操作を受けるＴＶ受信装置側においても、地上波デジタル放送対応型のＴＶ受信装置が急速に普及しつつある。
【０００５】
我が国の地上波デジタル放送ではＵＨＦ帯が使用されており、従来のアナログＵＨＦ放送の受信チャネルに相当する「１３」ｃｈから「６４」ｃｈが地上波デジタル放送に割り当てられている。なお、受信周波数に対応するこれらの受信チャネル番号は、物理チャネル番号とも呼ばれており、以下の記述では物理チャネル番号の呼称を用いるものとする。
【０００６】
全国の放送事業者の夫々に対しては、物理チャネル番号が割り付けられている。この場合、例えば、東京の放送事業者の送信局と九州の放送事業者の送信局のように、送信局の間の物理的距離が離れており電波干渉の心配が無い場合は、同じ周波数の使用が可能である。従って、同じ物理チャネル番号が異なる放送事業者に割り付けられることもある。
【０００７】
一方、従来から使用されているリモートコントローラ装置の多くは、「１」から「１２」の番号のキーを有している（以下、リモートコントローラ装置が有するこの番号をリモコン番号という）。従来の地上波アナログ放送では、ＵＨＦ放送を例外とすると、通常多く視聴されるＶＨＦ放送では物理チャネル番号とリモコン番号とは１対１に対応しており、ユーザは迷うことなくチャネルを選択することができた。
【０００８】
これに対して、地上波デジタル放送では物理チャネル番号は総て２桁であり、従来どおりの方法でリモコン番号から物理チャネル番号を設定しようとすると多くの場合数字キーを２回押下することになり不便となる。そこで、地上波デジタル放送では、放送事業者毎に割り付けられた物理チャネル番号の他、予めリモコン番号も関連付けて割り付ける方法を採っている。これにより、従来どおりリモートコントローラ装置の数字キー（リモコン番号）を１回押下するだけで所望の放送事業者の放送を選択することができる。
【０００９】
より具体的には、例えば特許文献２等に開示されているように、地上波デジタル放送の受信装置が有するチャネルスキャン機能を利用してチャネルリストを自動的に作成し、このチャネルリストのデータに基づいて所望の放送事業者を選択する。チャネルスキャン機能とは、受信装置が設置された地域で受信可能な放送周波数の自動スキャンを行い、その地域で受信可能なチャネルリストを自動的に作成し保存する機能である。このとき作成、保存されるチャネルリストは、「放送事業者名」、「物理チャネル番号」、及び「リモコン番号」が各地域の放送事業者毎に関連付けられたリストである。
【００１０】
このチャネルリストによって、ユーザは「リモコン番号」を選択するだけで、（「物理チャネル番号」を意識することなく）所望の放送事業者の番組を視聴することができる。
【特許文献１】特開２００５−１５０８３１号公報
【特許文献２】特開２００５−３９５７６号公報
【発明の開示】
【発明が解決しようとする課題】
【００１１】
上述したチャネルリストのデータは、リモートコントローラ装置側ではなく地上波デジタル放送のＴＶ受信装置側に保存される。従って、同じＴＶ受信装置に対して異なるリモートコントローラ装置を用いたとしても、同じリモコン番号を選択すれば常に同じ放送事業者の放送の視聴が可能である。このことは、リモートコントローラ装置がリモコン付き携帯電話機であっても同様である。
【００１２】
ところで、上述したチャネルスキャン機能によって生成されるチャネルリストの内容は、ＴＶ受信装置が設置されている地域によって当然異なってくる。地域によって放送事業者が異なっているからである。例えば、関東地域においてリモコン番号「４」に対応する放送事業者と、九州地域においてリモコン番号「４」に対応する放送事業者とは異なる。また、同じ九州地域であっても、熊本県におけるリモコン番号「４」に対応する放送事業者と、長崎県のリモコン番号「４」に対する放送事業者とは異なる。
【００１３】
一方、我が国の放送事業者の間には、公共放送や一部の独立系放送事業者を除き、いわゆる「キー局」と、これと系列をなす「系列局」の関係がある。現在、在京の５つの放送事業者が「キー局」として存在し、それぞれ独自の報道番組や娯楽番組等を製作、放送している。一方、各地域に存在する「系列局」では地域独自のローカル番組を製作、放送する他、「キー局」で製作した番組の配信を受けて放送する。従って、同一系列に属する「キー局」と「系列局」では、同じ内容の番組が全国で同時刻に放送される場合が多い。
【００１４】
しかしながら、同じ内容の番組を放送する同一系列の「キー局」と「系列局」の関係にあっても、現状、各局に割り当てられたリモコン番号は異なっている。公共放送の場合は、例えば総合放送にはリモコン番号「１」、また教育放送にはリモコン番号「２」というように全国の公共放送局に対して概ね統一されているものの、それでもかなりの地域では、総合放送にリモコン番号「３」、教育放送にはリモコン番号「２」が割り当てられており、同じ放送番組が全国どこでも同じリモコン番号で選択できるというわけではない。
【００１５】
この結果、例えば、関東地域に在住するリモコン付き携帯電話機のユーザが九州地域に出張等で移動し、リモコン付き携帯電話機でいつも視聴している番組を選択しようとする場合、同じリモコン番号ではその番組を選択できなくなってしまう。つまり、いつでもどこでも利用できるという折角の携帯電話機の利便性が十分に活かしきれない結果となる。
【００１６】
本発明は、上記事情に鑑みてなされたものであり、リモートコントロール機能付き携帯電話機において、全国どの地域においても、同一系列、或いは同一の放送事業者が放送する番組は同じリモコン番号で選択することができる携帯電話機を提供することを目的とする。
【課題を解決するための手段】
【００１７】
上記課題を解決するため、本発明に係る携帯電話機は、テレビ受信装置を遠隔操作することができる携帯電話機において、前記テレビ受信装置の番組を選択する数字キーと、所定の地域における第１の放送事業者と、前記第１の放送事業者に対して割り付けられた第１のリモコン番号とを関連付ける第１のチャネルリストを登録するチャネルリスト登録部と、前記テレビ受信装置を視聴しようとする地域における第２の放送事業者と、前記第２の放送事業者に対して割り付けられた第２のリモコン番号とを関連付ける第２のチャネルリストを生成するチャネルリスト生成部と、登録された前記第１のチャネルリストの第１の放送事業者と生成された前記第２のチャネルリストの第２の放送事業者とを照合し、前記第２の放送事業者と前記第１の放送事業者とが同一の放送事業者である場合、或いは前記第２の放送事業者と前記第１の放送事業者とが同じ内容の番組を放送しうる関係にある場合に、前記第１のリモコン番号を前記第２のリモコン番号に変換する照合変換部と、前記第１のリモコン番号に対応する前記数字キーが押下されたときに、前記第１のリモコン番号から変換された前記第２のリモコン番号に基づく番組選択信号を、前記テレビ受信装置に送信する送信部と、を備えたことを特徴とする。
【発明の効果】
【００１８】
本発明に係る携帯電話機によれば、リモートコントロール機能付き携帯電話機において、全国どの地域においても少なくとも同一系列の放送事業者が放送する番組は同じリモコン番号で選択することができる。
【発明を実施するための最良の形態】
【００１９】
本発明に係る携帯電話機の実施形態について、添付図面を参照して説明する。
【００２０】
（１）第１の実施形態
図１は、第１の実施形態に係る携帯電話機１の外観例を示す図であり、携帯電話機１を約１８０度に見開いたときの正面から見た外観例を示す図である。
【００２１】
携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（図示せず）が設けられており、内蔵されたアンテナを介して基地局（図示せず）との間で電波を送受信する。
【００２２】
また、本実施形態に係る携帯電話機１では、第２の筐体１３の先端部近傍の内部に赤外線を用いるリモコン送信部（送信部）１９が設けられている。リモコン送信部１９からＴＶ受信装置１００の赤外線受信部１００ａに対して赤外線を送信し、ＴＶ受信装置１００のリモートコントロールができるように構成されている。
【００２３】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いることにより、携帯電話機１に対してデータや各種指示を入力することができる。
【００２４】
また、携帯電話機１をＴＶ受信装置１００のリモートコントローラ（以下、リモコンと略す）として機能させるときには、これらの操作キー１４は、リモコンの操作キーをしても機能する。このうち、特に「０」乃至「９」の数字キーは、ＴＶ受信装置１００の番組選択用のキーとして用いられる。この場合、「０」乃至「９」の数字は、番組選択で用いられる「リモコン番号」に対応する数字となる。
【００２５】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００２６】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００２７】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００２８】
また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００２９】
なお、第１の筐体１２は、背面側に図示しないバッテリパックが挿着されており、終話・電源キーがオン状態になると、バッテリパックから各回路部に対して電力が供給されて動作可能な状態に起動する。
【００３０】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（図示せず）で撮像した画像、外部のコンテンツサーバ（図示せず）より受信したコンテンツ、メモリカード（図示せず）に記憶されているコンテンツを表示することができる。また、液晶ディスプレイ１７の上部の所定の位置にはスピーカ１８が設けられており、これにより、ユーザは音声通話することが可能である。
【００３１】
図２は、第１の実施形態に係る携帯電話機１の構成例を示す図であり、特に、携帯電話機１をＴＶ受信装置１００のリモコンとして機能させるときの構成例を示す図である。
【００３２】
携帯電話機１は、チャネルリスト生成部２０、チャネルリスト登録部３０、照合変換部４０、制御部５０を備える他、図１に示した操作キー１４、液晶ディスプレイ１７、リモコン送信部１９等を備えて構成されている。
【００３３】
チャネルリスト生成部２０はその内部構成として、ＧＰＳ受信部（地域検出部）２１、チャネルリスト入力部２２、及び地域別チャネルリスト抽出部２３を備えている。また、照合変換部４０はその内部構成として、放送事業者照合部４１、及びリモコン番号変換部（番号変換部）４２を備えている。
【００３４】
チャネルリスト生成部２０では、ＴＶ受信装置１００の視聴地域（ユーザが通常居住している地域だけでなく、出張や旅行等で移動したときの移動先での視聴地域も含む）のチャネルリストを生成する。チャネルリストとは、前述したように、「放送事業者名」、「物理チャネル番号」、及び「リモコン番号」が放送事業者毎に関連付けられたデータであり、全国の放送事業者が網羅された全国チャネルリストと、特定の地域で視聴可能な放送事業者がリストアップされた地域別チャネルリストに分類できる。図５にこれらのチャネルリストの一例を示すが、より詳細には後述する。
【００３５】
チャネルリスト入力部２２は、外部のデータベースにアクセスして全国チャネルリストを入力する。具体的には、携帯電話機１が具備するインターネット機能を利用し、基地局１０１からインターネット（電気通信回線）１０２を介してデータベースサーバ１０３にアクセスし、全国チャネルリストデータベース１０４から全国チャネルリストを入手する。データベースサーバ１０３は、例えば、所定の放送事業者等に設けられているものである。
【００３６】
一方、ＧＰＳ受信部２１は、ＧＰＳ衛星１０５等の電波を受信し携帯電話機１の位置情報を入力する。この位置情報からユーザが現在いる地域、即ちＴＶ受信装置１００を視聴しようとしている地域を特定する。
【００３７】
地域別チャネルリスト抽出部２３では、ＧＰＳ受信部２１にて特定された地域情報を用いて、入力した全国チャネルリストから、ユーザが現在いる地域の地域別チャネルリストを抽出する。
【００３８】
チャネルリスト登録部３０には、ユーザが通常居住している地域（ＴＶ受信装置を通常視聴している地域）の地域別チャネルリストが予め登録される。例えばユーザが東京都に通常居住している場合には、関東広域圏のチャネルリストが登録される。
【００３９】
照合変換部２０では、チャネルリスト登録部３０に予め登録された放送事業者（第１の放送事業者）と、移動先の地域で視聴可能な放送を提供する放送事業者（第２の放送事業者）とを照合し、移動先の放送事業者と登録した放送事業者とが同一の放送事業者である場合（公共放送の放送事業者の場合）、或いは移動先の放送事業者と登録した放送事業者とが同じ内容の番組を放送しうる関係にある場合（同一の系列に属する関係にある場合）に、登録した放送事業者に割り当てられたリモコン番号（第１のリモコン番号）を移動先の放送事業者に割り当てられたリモコン番号（第２のリモコン番号）に変換する。照合変換部２０の動作についてはさらに詳しく後述する。
【００４０】
リモコン送信部１９では、上記の第１のリモコン番号に対応する数字キー１４が押下されたときに、第１のリモコン番号から変換された第２のリモコン番号に基づく番組選択信号を、赤外線の変調信号としてテレビ受信装置１００に送信する。
【００４１】
制御部５０は、携帯電話機１全体の制御をつかさどる他、特定の操作キー１４の押下によって、携帯電話機１を通常の携帯電話としての機能からＴＶ受信装置１００のリモコン機能に切換える等の処理を行う。
【００４２】
（２）動作
上記のように構成された携帯電話機１の詳細動作、特に携帯電話機１をＴＶ受信装置１００のリモコンとして機能させるときの詳細動作について、図３乃至図５を参照して説明する。
【００４３】
図３は、ユーザが通常ＴＶ受信装置を視聴している地域（即ち、通常居住している地域）において、その地域のチャネルリスト（第１のチャネルリスト）を登録する手順の一例を示すフローチャートである。
【００４４】
まず、ユーザによる、携帯電話機１の適宜の操作キー１４の操作を受け付けたことを検知すると、チャネルリスト登録処理プログラムを起動させる（ステップＳＴ１）。
【００４５】
チャネルリスト登録処理が起動すると、携帯電話機１のＧＰＳ受信部２１が起動し（ステップＳＴ２）ユーザの通常居住地域の位置情報（地域情報）が取得される（ステップＳＴ３）。
【００４６】
一方、携帯電話機１の通信機能も起動され（ステップＳＴ４）、外部のデータベース（放送事業者等が具備する全国チャネルリストデータベース１０４）から全国チャネルリスト２００を取得する（ステップＳＴ５）。例えば、ユーザの居住地域に近接する基地局１０１を経由してインターネット等の電気通信回線１０２に接続し、放送事業者等のデータベースサーバ１０３にアクセスし、全国チャネルリストデータベース１０４から全国チャネルリスト２００を取得する。
【００４７】
図５（ａ）は、全国チャネルリスト２００の内容の一例を模式的に示す図である。全国チャネルリスト２００には、北は北海道から南は沖縄県までの全国の放送事業者が夫々の地域に区分されてリストアップされている。図５（ａ）等に示したように、各放送事業者は、その名称と物理チャネル番号、及びリモコン番号が夫々関連付けられている。
【００４８】
例えば、関東広域圏の放送事業者「ｇｈ放送」には、物理チャネル番号として「２４」が、またリモコン番号として「５」が割り付けられていることを示している。
【００４９】
ステップＳＴ６では、この全国チャネルリスト２００から、チャネルリスト登録処理を行っている地域の地域別チャネルリスト（第１のチャネルリスト）３００が抽出される。例えば、ユーザが東京都に居住しており、東京都でチャネルリスト登録処理を行ったとする。この場合、ＧＰＳ受信部２１からは、関東広域圏に属する位置情報が得られる。この位置情報に基づいて、全国チャネルリスト２００から関東広域圏に対応するチャネルリスト（地域別チャネルリスト３００）が抽出される。
【００５０】
抽出された地域別チャネルリスト３００は、チャネルリスト登録部３０に登録される（ステップＳＴ７）。登録された地域別チャネルリスト３００には、図５（ｂ）に示したように、登録した地域における各放送事業者（第１の放送事業者）とそのリモコン番号（第１のリモコン番号）とが関連付けられている。
【００５１】
登録した地域別チャネルリスト３００は、携帯電話機１が具備する適宜の不揮発性メモリに保存される。ステップＳＴ７で登録処理は完了する。
【００５２】
次に、登録処理が完了した携帯電話機１を携帯してユーザが旅行や出張等で移動し、移動先で携帯電話機１をＴＶ受信装置１００のリモコンとして機能させるときの処理について説明する。なお、以下の説明では、関東広域圏に居住するユーザが福岡県に移動した場合を例にとって説明する。ユーザの携帯電話機１には、関東広域圏の地域別チャネルリスト３００が既に登録されている。
【００５３】
図４は、移動先での携帯電話機１の動作例（リモコン機能の動作例）を示すフローチャートである。
【００５４】
ユーザによる、携帯電話機１の適宜の操作キー１４の操作を受けたことを検知すると、携帯電話機１のリモコン機能プログラムを起動させる（ステップＳＴ１１）。
【００５５】
リモコン機能が起動すると、携帯電話機１は自動的にＧＰＳ機能を動作させ（ステップＳＴ１２）、地域情報を取得する（ステップＳＴ１３）。この場合、ユーザは福岡県に移動しているため、ＧＰＳ受信部２１から得られる位置情報から「福岡県」を示す地域情報が得られる。
【００５６】
一方、リモコン機能が起動すると、携帯電話機１は自動的に通信機能を起動させ（ステップＳＴ１４）、外部のデータベースから全国チャネルリスト２００を取得する（ステップＳＴ１５）。なお、ステップＳＴ１２からステップＳＴ１５の動作は、登録時の動作（図３のステップＳＴ２からステップＳＴ５の動作）と基本的には同じ動作である。
【００５７】
次に、ステップＳＴ１３で得られた移動先の地域情報に基づいて、全国チャネルリスト２００から移動先の地域別チャネルリスト２０１（第２のチャネルリスト）を抽出する（ステップＳＴ１６）。今の例では、図５（ｃ）に示したように、福岡県地域の地域別チャネルリスト２０１が抽出される。
【００５８】
ところで、図５（ａ）、（ｂ）、（ｃ）に示した各チャネルリストの放送事業社名には、［］で系列名を付している。前述したように、現在我が国の各民放放送事業者の多くは、在京の５放送事業者をキー局とする５つの系列局に分類されている。同一系列に属する民放放送事業者は、主にキー局で製作した報道番組や娯楽番組等の配信を受けて、同じ内容の番組を放送しうる関係にある。例えば、関東広域圏の「ｇｈ放送」、福岡県の「ｑｒ放送」、北海道の「ａｂ放送」は同じ［Ａ系列］に属しており、いずれも同じ番組を放送しうる関係にある。
【００５９】
一般に、ある地域に長く居住していると、ユーザはその地域の特定の放送事業者（或いはその放送事業者が提供する番組）とリモコン番号との対応関係に慣れ親しんでいる。常時関東広域圏に居住しているユーザが、「ｇｈ放送」（或いは「ｇｈ放送」が提供する番組ＡＢＣ）を視聴しようとする場合、ほとんど迷うことなくリモコン番号「５」を押して「ｇｈ放送」を選択する。
【００６０】
ところが、このユーザが出張等で福岡県に移動し、毎週視聴している番組ＡＢＣを見ようとした場合、従来のリモコン付き携帯電話機では、いつもと同じリモコン番号「５」を押しても番組ＡＢＣを選択できない。福岡県で番組ＡＢＣを提供している同一系列の放送事業者「ｑｒ放送」には、リモコン番号「１」が割り当てられているからである。この場合、ユーザは新聞の番組表等を調べて、番組ＡＢＣを提供している放送事業者「ｑｒ放送」のリモコン番号が「１」であることを確認し、その後リモコン番号の「１」を押して番組ＡＢＣを選択することになる。これば面倒である。
【００６１】
このようなことは、民放放送に限らず同一の放送事業者が提供する公共放送でも起こりうる。関東広域圏も含めて公共放送（総合）の多くにはリモコン番号「１」が割り当てられているが、福岡県の場合、公共放送（総合）のリモコン番号は「３」である。
【００６２】
そこで、本実施形態に係る携帯電話機１では、ステップＳＴ１７、ＳＴ１８、及びＳＴ１９の処理によってリモコン番号の変換処理を自動的に行い、全国どこへ行っても、同一系列の放送事業者（或いは公共放送を提供する同一の放送事業者）は、常日頃慣れ親しんでいるリモコン番号だけで選択できるようにしている。
【００６３】
具体的には、ステップＳＴ１７にて、常日頃慣れ親しんでいるリモコン番号、即ち登録したチャネルリストのリモコン番号（第１のリモコン番号）がユーザによって押下されたことと検知する。例えば、リモコン番号「５」が押下されたことを検知する。
【００６４】
ステップＳＴ１８では、登録したチャネルリスト３００と移動先のチャネルリスト２０１の照合を行う。ここでいう照合とは、登録したチャネルリスト３００の放送事業者と同じ系列に属する放送事業者（公共放送の場合は同一の放送事業者）を移動先のチャネルリスト２００から検索し、その放送事業者のリモコン番号（第２のリモコン番号）を特定することである。
【００６５】
例えば、押下されたリモコン番号「５」は、登録したチャネルリスト３００では［Ａ系列］（「ｇｈ放送」）である。［Ａ系列］に該当する放送事業者は、移動先のチャネルリスト２０１では「ｑｒ放送」であり、「ｑｒ放送」のリモコン番号（第２のリモコン番号）が「１」であることが特定される。
【００６６】
なお、系列名の情報は、必ずしも図５（ａ）、（ｂ）、（ｃ）に示したように各チャネルリストに明示的に含まれている必要はない。全国にある各民放放送事業者がどの系列に属しているか公知であり、放送事業社名のみからその系列名を特定できるからである。
【００６７】
次に、ステップＳＴ１９でリモコン番号の変換が行われる。上記の例では、リモコン番号「５」からリモコン番号「１」に変換される。
【００６８】
最後に、変換されたリモコン番号「１」に対応する番組選択信号が、リモコン送信部１９からＴＶ受信装置１００に送信され、福岡県における［Ａ系列］の放送事業者である「ｑｒ放送」が選択される（ステップＳＴ２０）。
【００６９】
このように、本実施形態に係る携帯電話機１によれば、全国どの地域に移動しても、日常から慣れ親しんでいるリモコン番号によって、同一系列の放送事業者（或いは同一の放送事業者）を選択することが可能となる。
【００７０】
なお、民放放送事業者の中には、いずれの系列にも属さない、所謂独立系の放送事業者も存在する。移動先の地域に独立系の放送事業者が存在するか否かは、地域別チャネルリスト２０１を抽出した時点でその放送事業社名から特定することができる。この場合、例えばその独立系の放送事業者を識別するアイコン等を液晶ディスプレイ１７等に表示し、十字キーと決定キーで所望の独立系の放送事業者を選択するようにすれば良い。そして、リモコン番号の変換を行うことなく、選択された独立系の放送事業者に割り付けられているリモコン番号をリモコン送信部１９からＴＶ受信装置１００に送信すればよい。
【００７１】
（３）その他の実施形態
図６は、第２の実施形態に係る携帯電話機１ａの構成例を示す図である。第１の実施形態に係る携帯電話機１との相違点は、ＧＰＳ受信部２１に替えて基地局位置情報検出部２４を設けている点である。基地局１０１から送られている基地局情報には、基地局１０１の位置を示す位置情報が含まれている。そこで、第２の実施形態では、基地局位置情報検出部２４で基地局１０１の位置情報を検出し、移動先の地域情報を得るように構成している。その他の構成や動作は第１の実施形態と同様である。
【００７２】
第２の実施形態に係る携帯電話機１ａによれば、ＧＰＳ機能を具備しない携帯電話機であっても第１の実施形態に係る携帯電話機１と同様の効果を得ることができる。
【００７３】
図７は、第３の実施形態に係る携帯電話機１ｂの構成例を示す図である。第１の実施形態に係る携帯電話機１との相違点は、チャネルリスト入力部２２に替えて全国チャネルリストデータベース２５を内部に具備している点である。第３の実施形態に係る携帯電話機１ｂでは、外部のデータベースにアクセスすることなく、内部の全国チャネルリストデータベース２５とＧＰＳ受信部２１で検出された地域情報とから地域別チャネルリスト２０１を抽出する構成としている。その他の構成と動作は第１の実施形態と同様である。
【００７４】
第３の実施形態に係る携帯電話機１ｂによれば、第１の実施形態に係る携帯電話機１と同様の効果を得ることができ、かつ全国チャネルリスト２００を取得する時間が第１の実施形態に比べて短縮される。
【００７５】
図８は、第４の実施形態に係る携帯電話機１ｃの構成例を示す図である。第１の実施形態に係る携帯電話機１との相違点は、チャネルリスト生成部２０ｃで生成される地域別チャネルリスト２０１を、地上波デジタル放送受信部２６から得ている点にある。今日、所謂ワンセグ放送と呼ばれる地上波デジタル放送の受信機能を具備した携帯電話機１ｃが急速に普及しつつある。この種の携帯電話機１ｃでは、内蔵する地上波デジタル放送受信部２６自体でチャネルスキャンを実施し、その地域のチャネルリストを生成している。このチャネルリストは、第４の実施形態に係る携帯電話機１ｃの地域別チャネルリスト２０１としてそのまま利用することができる。
【００７６】
第４の実施形態に係る携帯電話機１ｃでは、移動先に設置されたＴＶ受信装置１００の放送波受信環境とほぼ同じ受信環境で地域別チャネルリスト２０１が生成されるため、精度の高いリモコン番号の変換が実現できる。
【００７７】
以上説明してきたように、上記の各実施形態にかかる携帯電話機によれば、リモートコントロール機能付き携帯電話機において、全国どの地域においても、同一系列の放送事業者、或いは同一の放送事業者が放送する番組は同じリモコン番号で選択することができ、ユーザに対して高い利便性を提供できる。
【００７８】
なお、本発明は上記の各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７９】
【図１】本発明の一実施形態に係る携帯電話機の外観例を示す図。
【図２】本発明の第１の実施形態に係る携帯電話機の構成例を示す図。
【図３】チャネルリストの登録処理の一例を示すフローチャート。
【図４】リモコン機能動作時の処理の一例を示すフローチャート。
【図５】チャネルリストの内容の一例を示すと共に、リモコン番号変換処理の概念を示す図。
【図６】本発明の第２の実施形態に係る携帯電話機の構成例を示す図。
【図７】本発明の第３の実施形態に係る携帯電話機の構成例を示す図。
【図８】本発明の第４の実施形態に係る携帯電話機の構成例を示す図。
【符号の説明】
【００８０】
１、１ａ、１ｂ、１ｃ  携帯電話機
１４  操作キー（数字キー）
１７  液晶ディスプレイ
１９  リモコン送信部
２０、２０ａ、２０ｂ、２０ｃ  チャネルリスト生成部
２１  ＧＰＳ受信部（地域検出部）
２２  チャネルリスト入力部
２３  地域別チャネルリスト抽出部
２４  基地局位置情報検出部（地域検出部）
２５  全国チャネルリストデータベース
２６  地上波デジタル放送受信部
２７  チャネルスキャン部
３０  チャネルリスト登録部
４０  照合変換部
４１  放送事業者照合部
４２  リモコン番号変換部
【図１】
2008278413.tif 000003
【図２】
2008278413.tif 000004
【図３】
2008278413.tif 000005
【図４】
2008278413.tif 000006
【図５】
2008278413.tif 000007
【図６】
2008278413.tif 000008
【図７】
2008278413.tif 000009
【図８】
2008278413.tif 000010